(57)【要約】【課題】パウチ内の液状物を使い切ることができる、ノズル付パウチを提供すること。【解決手段】ノズル２が、弾性パイプ２１と、吐出部２２と、基部２３と、からなっており、基部２３にてパウチ１に固定されており、基部２３が、弾性パイプ２１に連通する筒部２３１と、外向きフランジ部２３２と、を有しており、外向きフランジ部２３２の裏面２５２に、筒部２３１の内部と外向きフランジ部２３２の外部とを連通させる溝２６を形成したことを特徴としている。【選択図】  図１
2004244026.tif 000002
【特許請求の範囲】
【請求項１】
パウチ内の液状物を一旦吸い出した後に吐出するノズルが設けられているパウチにおいて、
ノズルが、弾性パイプと、先端の吐出部と、後端の基部と、からなっており、基部にてパウチに固定されており、
基部が、弾性パイプに連通する筒部と、筒部の一端に設けられた外向きフランジ部と、を有しており、筒部をパウチの一面に内面側から貫通させた状態で、外向きフランジ部の筒部側の表面をパウチの内面に接合させることにより、パウチの上記一面に固定されており、
外向きフランジ部の、上記表面とは反対側の裏面に、筒部の内部と外向きフランジ部の外部とを連通させる通路を形成したことを特徴とするノズル付パウチ。
【請求項２】
上記通路が溝である、請求項１記載のノズル付パウチ。
【発明の詳細な説明】
【０００１】
【発明の属する技術分野】
本発明は、パウチ内の液状物を一旦吸い出した後に吐出するノズルが設けられているパウチに関するものである。液状物としては、例えば、各種の液体ソープが挙げられる。このようなノズル付パウチは、一般に、所定のケース内に、ノズル先端を外部に覗かせた状態で収納されて、使用される。
【０００２】
【従来の技術】
図５は一般のノズル付パウチの斜視全体図である。パウチ１は、通常、プラスティックフィルムで構成された袋である。ノズル２は、弾性パイプ２１と、先端の吐出部２２と、後端の基部２３と、からなっており、パウチ１の一面１１に、パウチ１内部と連通させて、基部２３にて固定されている。パウチ１内には、液体ソープのような液状物が充填されている。
【０００３】
図６はパウチ１の一面１１に対する基部２３の固定構造を示す縦断面部分図である。基部２３は、筒部２３１をパウチ１の一面１１に内面１１１側から貫通させた状態で、外向きフランジ部２３２の筒部２３１側の表面２５１を一面１１の内面１１１に熱接着させることにより、パウチ１の一面１１に固定されている。
【０００４】
【特許文献１】
特開平８−３３２１５７号公報
【０００５】
【発明が解決しようとする課題】
上記構成のノズル付パウチでは、弾性パイプ２１を作動させてパウチ１内の液状物の吸い出しを行う際に、次のような不具合が生じることがあった。即ち、パウチ１内の液状物の残量が少なくなってくると、図６において一点鎖線で示すように、パウチ１の他面１２が、筒部２３１を塞ぐように外向きフランジ部２３２の裏面２５２に貼り付いてしまい、パウチ１内の液状物が、ノズル２内へ吸い込まれなくなり、従って、ノズル２から吐出されなくなり、パウチ１内の液状物を使い切ることができなくなる、という不具合が、たびたび発生していた。
【０００６】
特に、上記構成のノズル付パウチは、図７〜図９に示すように、折り畳んでケース５内に収納した状態で使用されるので、他面１２が外向きフランジ部２３２に近付きやすく、上記の不具合が発生しやすかった。なお、図７はノズル付パウチを折り畳んでハウジング５１に収納する様子を示し、図８はノズル付パウチをハウジング５１に収納し且つノズル２をハウジング５１に固定した状態を示し、図９はノズル付パウチを収納したハウジング５１をカバー５２で塞いだ状態を示す。
【０００７】
本発明は、上記の不具合が発生するのを防止でき、即ち、パウチ内の液状物を使い切ることができる、ノズル付パウチを提供することを目的とする。
【０００８】
【課題を解決するための手段】
請求項１記載の発明は、パウチ内の液状物を一旦吸い出した後に吐出するノズルが設けられているパウチにおいて、ノズルが、弾性パイプと、先端の吐出部と、後端の基部と、からなっており、基部にてパウチに固定されており、基部が、弾性パイプに連通する筒部と、筒部の一端に設けられた外向きフランジ部と、を有しており、筒部をパウチの一面に内面側から貫通させた状態で、外向きフランジ部の筒部側の表面をパウチの内面に接合させることにより、パウチの上記一面に固定されており、外向きフランジ部の、上記表面とは反対側の裏面に、筒部の内部と外向きフランジ部の外部とを連通させる通路を形成したことを特徴としている。
【０００９】
請求項２記載の発明は、請求項１記載の発明において、上記通路が溝であるものである。
【００１０】
【発明の実施の形態】
図１は本発明のノズル付パウチのノズル２を示す斜視図である。なお、ノズル付パウチの全体構成は図３に示すものと同じである。ノズル２は、弾性パイプ２１と、先端の吐出部２２と、後端の基部２３と、からなっている。
【００１１】
図２はパウチ１に固定されたノズル２の縦断面図である。基部２３は、筒部２３１とその一端に設けられた外向きフランジ部２３２とからなる後筒体２３３と、それに連結した前筒体２３４と、からなっている。前筒体２３４は、筒部２３１に内嵌する後筒部２３５と、弾性パイプ２１が外嵌する前筒部２３６と、からなっている。基部２３は、後筒体２３３の筒部２３１をパウチ１の一面１１に内面１１１側から貫通させた状態で、外向きフランジ部２３２の筒部２３１側の表面２５１を一面１１の内面１１１に熱接着させることにより、パウチ１の一面１１に固定されている。
【００１２】
吐出部２２は、吐出口２２１を有する前筒体２２２と、それに連結した後筒体２２３と、内部に保持された弁２２４と、からなっている。後筒体２２３には、弾性パイプ２１が外嵌している。吐出部２２において、弁２２４の先端部２２４１は、弾性材料でできており、矢印Ａ方向に圧力が印加された場合のみ開き、その他の場合には閉じた状態を維持するようになっている。
【００１３】
上記構成のノズル２は、弾性パイプ２１を作動させることによって、所定量の液状物をパウチ１内から一旦吸い出した後に吐出するようになっている。即ち、弾性パイプ２１を押圧して窄まった状態とした後に、押圧力を開放すると、弾性パイプ２１は、その弾性力によって元に戻ろうとするが、その際、パウチ１内から所定量の液状物をノズル２内へ吸い込む。吸い込まれた液状物はノズル２内へ充填される。そして、弾性パイプ２１を窄めるように押圧することによって、ノズル２内に充填されていた液状物が吐出口２２１から吐出される。このように、弾性パイプ２１に対する押圧とその開放とを行うことによって、ノズル２は、パウチ１内の液状物を一旦吸い出した後に吐出する。
【００１４】
そして、本発明では、図１に示すように、基部２３において、外向きフランジ部２３２の裏面２５２に溝（通路）２６を形成したことを特徴としている。溝２６は、図２に示すように、筒部２３１の内部と外向きフランジ部２３２の外部とを連通させるように形成されている。
【００１５】
上記構成のノズル付パウチにおいては、弾性パイプ２１の作動によってパウチ１内の液状物がノズル２内へ吸い込まれる際に、パウチ１の他面１２が、図２の一点鎖線に示すように、外向きフランジ部２３２の裏面２５２に近付いたり接触したりしても、液状物は、矢印に示すように、溝２６を通って確実にノズル２内へ吸い込まれる。即ち、上記構成のノズル付パウチにおいては、他面１２が裏面２５２に貼り付いて液状物が全くノズル２へ吸い込まれなくなる、という現象は起こらない。従って、上記構成のノズル付パウチによれば、パウチ１内の液状物を使い切ることができる。
【００１６】
なお、筒部２３１の内部と外向きフランジ部２３２の外部とを連通させる通路としては、上記のような４本の溝２６に限るものではない。例えば、１本の溝でもよく、４本以外の複数本の溝でもよい。また、溝は、直線状でなくてもよく、例えば、曲線状でもよい。更には、図３に示すように、凸部２７１を形成することによって、それ以外の部分２７２が上記通路を構成するようにしてもよい。また、図４に示すように、凸部２８１を散点状に形成することによって、それ以外の部分２８２が上記通路を構成するようにしてもよい。
【００１７】
【発明の効果】
請求項１記載の発明によれば、弾性パイプの作動によってパウチ内の液状物をノズル内へ吸い込む際に、パウチの他面が、外向きフランジ部の裏面に近付いたり接触したりしても、液状物を、通路を通して確実にノズル内へ吸い込むことができる。従って、パウチの他面がノズルの基部に貼り付いて液状物が全くノズルへ吸い込まれなくなるという現象を防止でき、パウチ内の液状物を使い切ることができる。
【００１８】
請求項２記載の発明によれば、簡単な構成により、請求項１記載の発明の効果を得ることができる。
【図面の簡単な説明】
【図１】本発明のノズル付パウチのノズルを示す斜視図である。
【図２】本発明におけるパウチに固定されたノズルの縦断面図である。
【図３】本発明のノズル付パウチのノズルの別の例を示す斜視部分図である。
【図４】本発明のノズル付パウチのノズルの更に別の例を示す平面部分図である。
【図５】一般のノズル付パウチの斜視全体図である。
【図６】パウチの一面に対する基部の固定構造を示す縦断面部分図である。
【図７】ノズル付パウチをハウジングに収納する様子を示す斜視図である。
【図８】ノズル付パウチをハウジングに収納し且つノズルをハウジングに固定した状態を示す斜視図である。
【図９】ノズル付パウチを収納したハウジングをカバーで塞いだ状態を示す斜視図である。
【符号の説明】
１  パウチ
１１  一面
１１１  内面
２  ノズル
２１  弾性パイプ
２２  吐出部
２３  基部
２３１  筒部
２３２  外向きフランジ部
２５１  表面
２５２  裏面
【図１】
2004244026.tif 000003
【図２】
2004244026.tif 000004
【図３】
2004244026.tif 000005
【図４】
2004244026.tif 000006
【図５】
2004244026.tif 000007
【図６】
2004244026.tif 000008
【図７】
2004244026.tif 000009
【図８】
2004244026.tif 000010
【図９】
2004244026.tif 000011